(57)【要約】      （修正有）【課題】セル内側領域のスループットの低下を抑制しつつ、セル間干渉を抑制することができるアンテナシステムを提供する。【解決手段】アンテナシステムは、移動端末２０との間の通信に用いる周波数帯域を選択する選択部と、位置情報に基づいて、移動端末２０に対するアクティブアンテナ３の指向性を調整する調整部とを備えている。選択部は、移動端末２０のセルＣ１内における位置情報に基づいて、移動端末２０のセルＣ１内における位置が当該セルＣ１に隣接する隣接セルＣａとの間で干渉が生じるおそれがあるセルエッジ領域Ｃ１１と判定する場合、隣接セルＣａのセルエッジ領域Ｃａ１において選択される周波数帯域と異なる周波数帯域を選択し、前記位置がセルエッジ領域Ｃ１１よりも内側のセル内側領域Ｃ１２、Ｃ１３と判定する場合、前記位置情報がセルエッジ領域Ｃ１１である場合において選択される周波数帯域以外の周波数帯域を選択する。【選択図】図４
2016116045.tif 000002
【特許請求の範囲】
【請求項１】
移動端末と通信するためのセルを形成する通信装置に用いられるアンテナシステムであって、
前記移動端末の前記セル内における位置情報を取得する取得部と、
互いに異なる複数の周波数帯域の中から、前記移動端末との間の通信に用いる周波数帯域を選択する選択部と、
前記位置情報に基づいて、前記移動端末に対するアンテナの指向性を調整する調整部と、を備え、
前記選択部は、前記位置情報に基づいて、前記移動端末の前記セル内における位置が当該セルに隣接する隣接セルとの間で干渉が生じるおそれがあるセルエッジ領域と判定する場合、前記隣接セルのセルエッジ領域において選択される周波数帯域と異なる周波数帯域を選択し、前記移動端末の前記セル内における位置が前記セルエッジ領域よりも内側のセル内側領域と判定する場合、前記位置情報が前記セルエッジ領域である場合において選択される周波数帯域以外の周波数帯域を選択する
アンテナシステム。
【請求項２】
前記選択部が選択した周波数帯域が、前記セルエッジ領域である場合に選択される周波数帯域と、前記セルエッジ領域である場合に選択される周波数帯域以外の周波数帯域との間で切り替わる際に、前記移動端末との間の通信電力を維持するように制御する電力制御部をさらに備えている請求項１に記載のアンテナシステム。
【請求項３】
前記選択部が選択した周波数帯域が、前記セルエッジ領域である場合に選択される周波数帯域の場合と、前記セルエッジ領域である場合に選択される周波数帯域以外の周波数帯域の場合とで、前記移動端末との間の通信電力がほぼ同じ値となるように制御する電力制御部をさらに備えている請求項１に記載のアンテナシステム。
【請求項４】
前記選択部は、前記移動端末の前記セル内における位置が前記セル内側領域と判定する場合、前記複数の周波数帯域の内、前記移動端末の前記セル内における位置が前記セルエッジ領域と判定する場合に選択される周波数帯域以外の周波数帯域を複数選択する請求項１に記載のアンテナシステム。
【請求項５】
移動端末と通信するためのセルを形成する通信装置に用いられるアンテナシステムの制御装置であって、
前記移動端末の前記セル内における位置情報を取得する取得部と、
互いに異なる複数の周波数帯域の中から、前記移動端末との間の通信に用いる周波数帯域を選択する選択部と、
前記位置情報に基づいて、前記移動端末に対するアンテナの指向性を調整する調整部と、を備え、
前記選択部は、前記位置情報に基づいて、前記移動端末の前記セル内における位置が当該セルに隣接する隣接セルとの間で干渉が生じるおそれがあるセルエッジ領域と判定する場合、前記隣接セルのセルエッジ領域において選択される周波数帯域と異なる周波数帯域を選択し、前記移動端末の前記セル内における位置が前記セルエッジ領域よりも内側のセル内側領域と判定する場合、前記位置情報が前記セルエッジ領域である場合において選択される周波数帯域以外の周波数帯域を選択する
アンテナシステムの制御装置。
【請求項６】
移動端末と通信するためのセルを形成する通信装置であって、
前記移動端末の前記セル内における位置情報を取得する取得部と、
互いに異なる複数の周波数帯域の中から、前記移動端末との間の通信に用いる周波数帯域を選択する選択部と、
前記位置情報に基づいて、前記移動端末に対するアンテナの指向性を調整する調整部と、を備え、
前記選択部は、前記位置情報に基づいて、前記移動端末の前記セル内における位置が当該セルに隣接する隣接セルとの間で干渉が生じるおそれがあるセルエッジ領域と判定する場合、前記隣接セルのセルエッジ領域において選択される周波数帯域と異なる周波数帯域を選択し、前記移動端末の前記セル内における位置が前記セルエッジ領域よりも内側のセル内側領域と判定する場合、前記位置情報が前記セルエッジ領域である場合において選択される周波数帯域以外の周波数帯域を選択する
通信装置。
【請求項７】
移動端末と通信するためのセルを形成する通信装置に用いられるアンテナシステムの制御方法であって、
前記移動端末の前記セル内における位置情報を取得する取得ステップと、
互いに異なる複数の周波数帯域の中から、前記移動端末との間の通信に用いる周波数帯域を選択する選択ステップと、
前記位置情報に基づいて、前記移動端末に対するアンテナの指向性を調整する調整ステップと、を含み、
前記選択ステップは、前記位置情報に基づいて、前記移動端末の前記セル内における位置が当該セルに隣接する隣接セルとの間で干渉が生じるおそれがあるセルエッジ領域と判定する場合、前記隣接セルのセルエッジ領域において選択される周波数帯域と異なる周波数帯域を選択し、前記移動端末の前記セル内における位置が前記セルエッジ領域よりも内側のセル内側領域と判定する場合、前記位置情報が前記セルエッジ領域である場合において選択される周波数帯域以外の周波数帯域を選択する
アンテナシステムの制御方法。
【請求項８】
移動端末と通信するためのセルを形成する通信装置に用いられるアンテナシステムの制御をコンピュータに実行させるためのコンピュータプログラムであって、
コンピュータに、
前記移動端末の前記セル内における位置情報を取得する取得ステップと、
互いに異なる複数の周波数帯域の中から、前記移動端末との間の通信に用いる周波数帯域を選択する選択ステップと、
前記位置情報に基づいて、前記移動端末に対するアンテナの指向性を調整する調整ステップと、を実行させるためのコンピュータプログラムであり、
前記選択ステップは、前記位置情報に基づいて、前記移動端末の前記セル内における位置が当該セルに隣接する隣接セルとの間で干渉が生じるおそれがあるセルエッジ領域と判定する場合、前記隣接セルのセルエッジ領域において選択される周波数帯域と異なる周波数帯域を選択し、前記移動端末の前記セル内における位置が前記セルエッジ領域よりも内側のセル内側領域と判定する場合、前記位置情報が前記セルエッジ領域である場合において選択される周波数帯域以外の周波数帯域を選択する
コンピュータプログラム。
【発明の詳細な説明】
【技術分野】
【０００１】
本発明は、無線通信システムの基地局装置等に用いられるアンテナシステム、制御装置、通信装置、制御方法、及びコンピュータプログラムに関するものである。
【背景技術】
【０００２】
近年、携帯電話等に用いられる無線通信システムにおいては、セル間干渉を抑制する手法として、ＦＦＲ（Ｆｒａｃｔｉｏｎａｌ  Ｆｒｅｑｕｅｎｃｙ  Ｒｅｕｓｅ）が挙げられる（例えば、非特許文献１参照）。
ＦＦＲは、セルをセルエッジ領域と、セルエッジ領域よりも内側のセル内側領域とに分け、隣接セルと干渉の可能性が高いセルエッジ領域においては、使用周波数帯域を複数に分割し、互いに隣接するセルのセルエッジ領域ではそれぞれ異なる周波数帯域を使用することで、セル間干渉を抑制する。
【先行技術文献】
【非特許文献】
【０００３】
【非特許文献１】服部武、藤岡雅宣  編著，ＨＳＰＡ＋／ＬＴＥ／ＳＡＥ教科書，株式会社インプレスＲ＆Ｄ，２００９年８月１日，ｐｐ１６９−１７２
【発明の概要】
【発明が解決しようとする課題】
【０００４】
上記ＦＦＲでは、セル内側領域においては、使用周波数帯域の全域を用いるが、そのセルのセルエッジ領域に用いている周波数帯域以外の帯域については、セルエッジ領域に送信信号が及ばないように送信電力を抑える必要がある。
【０００５】
このため、ＦＦＲを採用した場合、セルエッジ領域の干渉については抑制することができる一方、ＦＦＲを採用せずに各セルにおいて使用周波数帯域の全域を用いた場合と比較して、送信電力を抑える帯域が含まれるためにセル内側領域のスループットが低下するという問題を有していた。
【０００６】
本発明はこのような事情に鑑みてなされたものであり、セル内側領域のスループットの低下を抑制しつつ、セル間干渉を抑制することができる技術を提供することを目的とする。
【課題を解決するための手段】
【０００７】
一実施形態であるアンテナシステムは、移動端末と通信するためのセルを形成する通信装置に用いられるアンテナシステムであって、前記移動端末の前記セル内における位置情報を取得する取得部と、互いに異なる複数の周波数帯域の中から、前記移動端末との間の通信に用いる周波数帯域を選択する選択部と、前記位置情報に基づいて、前記移動端末に対するアンテナの指向性を調整する調整部と、を備え、前記選択部は、前記位置情報に基づいて、前記移動端末の前記セル内における位置が当該セルに隣接する隣接セルとの間で干渉が生じるおそれがあるセルエッジ領域と判定する場合、前記隣接セルのセルエッジ領域において選択される周波数帯域と異なる周波数帯域を選択し、前記移動端末の前記セル内における位置が前記セルエッジ領域よりも内側のセル内側領域と判定する場合、前記位置情報が前記セルエッジ領域である場合において選択される周波数帯域以外の周波数帯域を選択する。
【０００８】
また、一実施形態である制御装置は、移動端末と通信するためのセルを形成する通信装置に用いられるアンテナシステムの制御装置であって、前記移動端末の前記セル内における位置情報を取得する取得部と、互いに異なる複数の周波数帯域の中から、前記移動端末との間の通信に用いる周波数帯域を選択する選択部と、前記位置情報に基づいて、前記移動端末に対するアンテナの指向性を調整する調整部と、を備え、前記選択部は、前記位置情報に基づいて、前記移動端末の前記セル内における位置が当該セルに隣接する隣接セルとの間で干渉が生じるおそれがあるセルエッジ領域と判定する場合、前記隣接セルのセルエッジ領域において選択される周波数帯域と異なる周波数帯域を選択し、前記移動端末の前記セル内における位置が前記セルエッジ領域よりも内側のセル内側領域と判定する場合、前記位置情報が前記セルエッジ領域である場合において選択される周波数帯域以外の周波数帯域を選択する。
【０００９】
また、一実施形態である通信装置は、移動端末と通信するためのセルを形成する通信装置であって、前記移動端末の前記セル内における位置情報を取得する取得部と、互いに異なる複数の周波数帯域の中から、前記移動端末との間の通信に用いる周波数帯域を選択する選択部と、前記位置情報に基づいて、前記移動端末に対するアンテナの指向性を調整する調整部と、を備え、前記選択部は、前記位置情報に基づいて、前記移動端末の前記セル内における位置が当該セルに隣接する隣接セルとの間で干渉が生じるおそれがあるセルエッジ領域と判定する場合、前記隣接セルのセルエッジ領域において選択される周波数帯域と異なる周波数帯域を選択し、前記移動端末の前記セル内における位置が前記セルエッジ領域よりも内側のセル内側領域と判定する場合、前記位置情報が前記セルエッジ領域である場合において選択される周波数帯域以外の周波数帯域を選択する。
【００１０】
一実施形態である制御方法は、移動端末と通信するためのセルを形成する通信装置に用いられるアンテナシステムの制御方法であって、前記移動端末の前記セル内における位置情報を取得する取得ステップと、互いに異なる複数の周波数帯域の中から、前記移動端末との間の通信に用いる周波数帯域を選択する選択ステップと、前記位置情報に基づいて、前記移動端末に対するアンテナの指向性を調整する調整ステップと、を含み、前記選択ステップは、前記位置情報に基づいて、前記移動端末の前記セル内における位置が当該セルに隣接する隣接セルとの間で干渉が生じるおそれがあるセルエッジ領域と判定する場合、前記隣接セルのセルエッジ領域において選択される周波数帯域と異なる周波数帯域を選択し、前記移動端末の前記セル内における位置が前記セルエッジ領域よりも内側のセル内側領域と判定する場合、前記位置情報が前記セルエッジ領域である場合において選択される周波数帯域以外の周波数帯域を選択する。
【００１１】
一実施形態であるコンピュータプログラムは、移動端末と通信するためのセルを形成する通信装置に用いられるアンテナシステムの制御をコンピュータに実行させるためのコンピュータプログラムであって、コンピュータに、前記移動端末の前記セル内における位置情報を取得する取得ステップと、互いに異なる複数の周波数帯域の中から、前記移動端末との間の通信に用いる周波数帯域を選択する選択ステップと、前記位置情報に基づいて、前記移動端末に対するアンテナの指向性を調整する調整ステップと、を実行させるためのコンピュータプログラムであり、前記選択ステップは、前記位置情報に基づいて、前記移動端末の前記セル内における位置が当該セルに隣接する隣接セルとの間で干渉が生じるおそれがあるセルエッジ領域と判定する場合、前記隣接セルのセルエッジ領域において選択される周波数帯域と異なる周波数帯域を選択し、前記移動端末の前記セル内における位置が前記セルエッジ領域よりも内側のセル内側領域と判定する場合、前記位置情報が前記セルエッジ領域である場合において選択される周波数帯域以外の周波数帯域を選択する。
【発明の効果】
【００１２】
本発明によれば、セル内側領域のスループットの低下を抑制しつつ、セル間干渉を抑制することができる。
【図面の簡単な説明】
【００１３】
【図１】一実施形態に係るアンテナシステムを備えた基地局装置の一部を示すブロック図である。
【図２】アクティブアンテナの構成を示すブロック図である。
【図３】ベースバンドユニットが有する機能の一部を示すブロック図である。
【図４】（ａ）は、アンテナシステムによって形成されるセルの構成を示す図であり、（ｂ）は、基地局装置が無線送信する下り信号の周波数成分を模式的に示した図である。
【図５】基地局装置の下り信号において移動端末のユーザデータを割り当てるための周波数帯域を選択する際の処理を示したシーケンス図である。
【図６】（ａ）は、互いに隣接するセルの構成を示す図であり、図６（ｂ）は、各セルに含まれる領域それぞれに対して使用される周波数帯域として選択されている帯域及び下り信号の送信電力を示す図である。
【図７】他の実施形態に係るセルの構成を示す図である。
【発明を実施するための形態】
【００１４】
［本願発明の実施形態の説明］
【００１５】
まず最初に本願発明の実施形態の内容を列記して説明する。
（１）一実施形態であるアンテナシステムは、
移動端末と通信するためのセルを形成する通信装置に用いられるアンテナシステムであって、
前記移動端末の前記セル内における位置情報を取得する取得部と、
互いに異なる複数の周波数帯域の中から、前記移動端末との間の通信に用いる周波数帯域を選択する選択部と、
前記位置情報に基づいて、前記移動端末に対するアンテナの指向性を調整する調整部と、を備え、
前記選択部は、前記位置情報に基づいて、前記移動端末の前記セル内における位置が当該セルに隣接する隣接セルとの間で干渉が生じるおそれがあるセルエッジ領域と判定する場合、前記隣接セルのセルエッジ領域において選択される周波数帯域と異なる周波数帯域を選択し、前記移動端末の前記セル内における位置が前記セルエッジ領域よりも内側のセル内側領域と判定する場合、前記位置情報が前記セルエッジ領域である場合において選択される周波数帯域以外の周波数帯域を選択する。
【００１６】
上記のように構成されたアンテナシステムによれば、移動端末がセルエッジ領域に位置する場合には、隣接セルにおいて選択される周波数帯域と異なる周波数帯域が選択されるので、アンテナの指向性をセルエッジ領域に向くように調整したとしても、隣接セルとの間でのセル間干渉を抑制することができる。
【００１７】
また、移動端末がセル内側領域に位置する場合には、移動端末がセルエッジ領域に位置する場合に選択される周波数帯域と異なる周波数帯域が選択されるので、アンテナの指向性をセル内側領域に向くように調整することができる。これにより、通信電力を上げたとしても、セル内側領域が拡張するのが抑制され、セルエッジ領域及びセル内側領域を維持するために通信電力を抑制する必要がなく、上記従来例で示したＦＦＲと比較してより通信電力を高めることができる。また、アンテナの指向性を調整することによってセルエッジ領域とセル内側領域とを区切ることにより、隣接セルとの間にセルエッジ領域を確実に介在させることができ、セル内側領域での通信電力を高めたとしても、隣接セルに与える干渉を抑制できる。
この結果、セル内側領域のスループットの低下を抑制しつつ、セル間干渉を抑制することができる。
【００１８】
（２）上記アンテナシステムにおいて、
前記選択部が選択した周波数帯域が、前記セルエッジ領域である場合に選択される周波数帯域と、前記セルエッジ領域である場合に選択される周波数帯域以外の周波数帯域との間で切り替わる際に、前記移動端末との間の通信電力を維持するように制御する電力制御部をさらに備えていることが好ましい。
この場合、セル内側領域における移動端末との間の通信電力を、セルエッジ領域における通信電力と同等にすることができ、セル内側領域のスループットの低下を抑制することができる。
【００１９】
（３）また、上記アンテナシステムにおいて、
前記選択部が選択した周波数帯域が、前記セルエッジ領域である場合に選択される周波数帯域の場合と、前記セルエッジ領域である場合に選択される周波数帯域以外の周波数帯域の場合とで、前記移動端末との間の通信電力がほぼ同じ値となるように制御する電力制御部をさらに備えているものであってもよく、この場合も、セル内側領域のスループットの低下を抑制することができる。
【００２０】
（４）上記アンテナシステムにおいて、
前記選択部は、前記移動端末の前記セル内における位置が前記セル内側領域と判定する場合、前記複数の周波数帯域の内、前記移動端末の前記セル内における位置が前記セルエッジ領域と判定する場合に選択される周波数帯域以外の周波数帯域を複数選択することが好ましい。
この場合、セル内側領域を各周波数帯域ごとにさらに区切ることができ、セル内側領域をより小さい領域に区切ることができる。これにより、より小さい領域ごとに異なる周波数帯域を使用することができ、基地局装置が使用可能な無線資源をより有効に利用することができる。
【００２１】
（５）また、一実施形態である制御装置は、
移動端末と通信するためのセルを形成する通信装置に用いられるアンテナシステムの制御装置であって、
前記移動端末の前記セル内における位置情報を取得する取得部と、
互いに異なる複数の周波数帯域の中から、前記移動端末との間の通信に用いる周波数帯域を選択する選択部と、
前記位置情報に基づいて、前記移動端末に対するアンテナの指向性を調整する調整部と、を備え、
前記選択部は、前記位置情報に基づいて、前記移動端末の前記セル内における位置が当該セルに隣接する隣接セルとの間で干渉が生じるおそれがあるセルエッジ領域と判定する場合、前記隣接セルのセルエッジ領域において選択される周波数帯域と異なる周波数帯域を選択し、前記移動端末の前記セル内における位置が前記セルエッジ領域よりも内側のセル内側領域と判定する場合、前記位置情報が前記セルエッジ領域である場合において選択される周波数帯域以外の周波数帯域を選択する。
【００２２】
（６）また、一実施形態である通信装置は、
移動端末と通信するためのセルを形成する通信装置であって、
前記移動端末の前記セル内における位置情報を取得する取得部と、
互いに異なる複数の周波数帯域の中から、前記移動端末との間の通信に用いる周波数帯域を選択する選択部と、
前記位置情報に基づいて、前記移動端末に対するアンテナの指向性を調整する調整部と、を備え、
前記選択部は、前記位置情報に基づいて、前記移動端末の前記セル内における位置が当該セルに隣接する隣接セルとの間で干渉が生じるおそれがあるセルエッジ領域と判定する場合、前記隣接セルのセルエッジ領域において選択される周波数帯域と異なる周波数帯域を選択し、前記移動端末の前記セル内における位置が前記セルエッジ領域よりも内側のセル内側領域と判定する場合、前記位置情報が前記セルエッジ領域である場合において選択される周波数帯域以外の周波数帯域を選択する。
【００２３】
（７）一実施形態である制御方法は、
移動端末と通信するためのセルを形成する通信装置に用いられるアンテナシステムの制御方法であって、
前記移動端末の前記セル内における位置情報を取得する取得ステップと、
互いに異なる複数の周波数帯域の中から、前記移動端末との間の通信に用いる周波数帯域を選択する選択ステップと、
前記位置情報に基づいて、前記移動端末に対するアンテナの指向性を調整する調整ステップと、を含み、
前記選択ステップは、前記位置情報に基づいて、前記移動端末の前記セル内における位置が当該セルに隣接する隣接セルとの間で干渉が生じるおそれがあるセルエッジ領域と判定する場合、前記隣接セルのセルエッジ領域において選択される周波数帯域と異なる周波数帯域を選択し、前記移動端末の前記セル内における位置が前記セルエッジ領域よりも内側のセル内側領域と判定する場合、前記位置情報が前記セルエッジ領域である場合において選択される周波数帯域以外の周波数帯域を選択する。
【００２４】
（８）また、一実施形態であるコンピュータプログラムは、
移動端末と通信するためのセルを形成する通信装置に用いられるアンテナシステムの制御をコンピュータに実行させるためのコンピュータプログラムであって、
コンピュータに、
前記移動端末の前記セル内における位置情報を取得する取得ステップと、
互いに異なる複数の周波数帯域の中から、前記移動端末との間の通信に用いる周波数帯域を選択する選択ステップと、
前記位置情報に基づいて、前記移動端末に対するアンテナの指向性を調整する調整ステップと、を実行させるためのコンピュータプログラムであり、
前記選択ステップは、前記位置情報に基づいて、前記移動端末の前記セル内における位置が当該セルに隣接する隣接セルとの間で干渉が生じるおそれがあるセルエッジ領域と判定する場合、前記隣接セルのセルエッジ領域において選択される周波数帯域と異なる周波数帯域を選択し、前記移動端末の前記セル内における位置が前記セルエッジ領域よりも内側のセル内側領域と判定する場合、前記位置情報が前記セルエッジ領域である場合において選択される周波数帯域以外の周波数帯域を選択する。
【００２５】
上記構成の制御装置、通信装置、制御方法、及びコンピュータプログラムによれば、セル内側領域のスループットの低下を抑制しつつ、セル間干渉を抑制することができる。
【００２６】
［本願発明の実施形態の詳細］
以下、好ましい実施形態について図面を参照しつつ説明する。
〔基地局装置の全体構成について〕
図１は、一実施形態に係るアクティブアンテナを備えた基地局装置の一部を示すブロック図である。図中、基地局装置１は、例えば、ＬＴＥ（Ｌｏｎｇ  Ｔｅｒｍ  Ｅｖｏｌｕｔｉｏｎ）が適用される携帯電話用の無線通信システムにおいて基地局装置として用いられるものであり、携帯電話といった移動端末（図示せず）と無線通信を行う通信装置としての機能を有している。
【００２７】
基地局装置１は、図に示すように、ベースバンドユニット（ＢＢＵ：Ｂａｓｅ  Ｂａｎｄ  Ｕｎｉｔ）２と、アクティブアンテナ３とを備えている。
【００２８】
ベースバンドユニット２は、当該ベースバンドユニット２から延びる信号伝送路（光伝送路又は電気伝送路）４によってアクティブアンテナ３に接続されている。
【００２９】
アクティブアンテナ３（以下、単にアンテナ３ともいう）は、筐体３ａの内部に無線周波数の信号を送受信するための複数のアンテナ素子５と、送受信される信号を増幅する増幅器とを備えており、基地局装置１が移動端末との間で無線通信を行う際に、当該無線通信に係る無線信号を送受信する機能を有している。
複数のアンテナ素子５は、垂直方向に所定間隔で配列されており、アレイアンテナを構成している。
【００３０】
ベースバンドユニット２は、上位ネットワーク（図示せず）から与えられる送信データに対してデジタル変調処理を行いデジタル信号である送信ベースバンド信号（Ｉ／Ｑ信号）を生成する機能を有している。
ベースバンドユニット２は、送信データを変調して得た送信ベースバンド信号を信号伝送路４を介してアンテナ３に与える。
また、ベースバンドユニット２は、送信データを複数のアンテナ素子５それぞれに対応するように複数に分配する。ベースバンドユニット２は、送信データを分配することで得た複数の分配データそれぞれを送信ベースバンド信号に変換する。
よって、ベースバンドユニット２は、複数の送信ベースバンド信号を複数のアンテナ素子５に与えるように構成されている。
【００３１】
また、ベースバンドユニット２は、アンテナ３から信号伝送路４を介して与えられるデジタル信号である受信ベースバンド信号（Ｉ／Ｑ信号）を取得し、この受信ベースバンド信号に対してデジタル復調処理を行い受信データを生成する機能を有している。
ベースバンドユニット２は、受信ベースバンド信号を復調して得た受信データを上位ネットワークに与える。
なお、ベースバンドユニット２に与えられる受信ベースバンド信号は、複数のアンテナ素子５それぞれに対応して複数与えられる。
【００３２】
このように、ベースバンドユニット２は、無線通信によって送受信されるデータ及びベースバンド信号に対してデジタル変復調処理等の処理を行う機能を有している。
【００３３】
〔アンテナの構成について〕
図２は、アンテナ３の構成を示すブロック図である。
アンテナ３は、ベースバンドユニット２から与えられる複数の送信ベースバンド信号をアナログの無線周波数の信号に変換する。さらに、アンテナ３は、複数のアナログの無線周波数の信号をそれぞれ対応するアンテナ素子５に与えることで各アンテナ素子５から空間に放射し、無線信号として送信する。
【００３４】
また、アンテナ３は、各アンテナ素子５が無線信号として受信する無線周波数の信号をそれぞれデジタルの受信ベースバンド信号に変換する。さらに、アンテナ３は、各アンテナ素子５に対応した複数の受信ベースバンド信号に対してデジタル信号処理を行った後、ベースバンドユニット２に与える。
【００３５】
アンテナ３は、複数のアンテナ素子５それぞれに対応して設けられている複数の送受信部８を備えている。
送受信部８は、ベースバンドユニット２から与えられる送信ベースバンド信号をアナログの無線周波数の信号に変換し、変換した無線周波数の信号を増幅してアンテナ素子５に与える機能を有している。
また、送受信部８は、アンテナ素子５が受信するアナログの無線周波数の信号を増幅し、デジタルの受信ベースバンド信号に変換してベースバンドユニット２に与える機能を有している。
送受信部８は、アナログの無線周波数の送受信信号を増幅するための増幅器を備えている。つまり、アンテナ３は、複数のアンテナ素子５それぞれに対応して増幅器を備えている。
【００３６】
信号伝送路４を介してアンテナ３に与えられる複数の送信ベースバンド信号は、対応するアンテナ素子５に接続された送受信部８に与えられ、アナログの無線周波数の信号に変換されて各アンテナ素子５から送信される。
各アンテナ素子５が受信するアナログの無線周波数の信号は、各送受信部８に与えられてデジタルの受信ベースバンド信号に変換されてベースバンドユニット２に与えられる。
【００３７】
〔ベースバンドユニットの構成について〕
図３は、ベースバンドユニット２が有する機能の一部を示すブロック図である。ベースバンドユニット２は、信号処理部１０と、取得部１５と、選択部１６と、調整部１７と、電力調整部１８とを機能的に備えている。
【００３８】
信号処理部１０は、上位ネットワークから与えられる移動端末に向けた送信データを複数のアンテナ素子５それぞれに対応するように複数に分配し、送信データを分配することで得た複数の分配データを、選択部１６が選択した無線通信のための所定の周波数帯域に割り当てる。
信号処理部１０は、所定の周波数帯域に割り当てられた複数の分配データそれぞれに対してデジタル変調処理を行い、複数の送信ベースバンド信号を生成する。
【００３９】
さらに、信号処理部１０は、複数の分配データそれぞれの間で位相を調整する機能を有している。これら複数の分配データを変換して得た複数の送信ベースバンド信号は、対応する複数のアンテナ素子５から送信される。つまり、互いに位相が調整された複数の分配データが、複数のアンテナ素子５から送信される。
よって、信号処理部１０は、分配データそれぞれの間で位相を調整することで、複数のアンテナ素子５から送信される信号の指向性（チルト角）を送信データごとに調整することができる。
【００４０】
また、信号処理部１０は、上位ネットワークから送信データが複数与えられたとしても、これら送信データそれぞれを複数の分配データに分配し、複数の送信データごとに異なるチルト角に調整できる。
例えば、上位ネットワークから第１送信データと第２送信データとが与えられた場合、信号処理部１０は、第１送信データ及び第２送信データのそれぞれを複数に分配し、第１送信データが複数のアンテナ素子５から送信されたときのチルト角と、第２送信データが複数のアンテナ素子５から送信されたときのチルト角とが異なるように調整することができる。
なお、チルト角とは、複数のアンテナ素子５から送受信される無線信号が形成するビームの水平方向に対する角度である。
【００４１】
また、信号処理部１０は、複数のアンテナ３から与えられる複数の受信ベースバンド信号を取得し、複数の受信ベースバンド信号に対してデジタル復調処理を行い複数の受信データを生成する。
さらに、信号処理部１０は、複数のアンテナ素子５それぞれに対応している複数の受信データごとにその位相を調整する機能を有している。
信号処理部１０は、複数の受信データごとにその位相を調整しさらに合成することで、複数のアンテナ素子５が信号を受信する際のチルト角を調整することができる。
【００４２】
なお、信号処理部１０による送受信信号の指向性の調整は、調整部１７によって制御される。
【００４３】
また、信号処理部１０は、分配して得た複数の分配データそれぞれの電力を調整する機能を有している。
信号処理部１０による分配データそれぞれに対する電力の調整は、電力制御部１８によって制御される。
【００４４】
取得部１５は、基地局装置１と通信接続している移動端末の基地局装置１のセル内における位置を示す位置情報を取得する機能を有している。
前記移動端末の位置情報は、当該移動端末が基地局装置１のセル内における位置を示す情報である。
取得部１５は、移動端末の現状の位置から基地局装置１までの距離を取得できる場合には、この距離を位置情報として取得する。
【００４５】
移動端末は、基地局装置１からの下り信号を受信したときのパスロス値等を測定することで当該移動端末の現状の位置から基地局装置１までの距離を推定することができる。よって、移動端末が、前記パスロス値、または当該移動端末の現状の位置から基地局装置１までの推定距離を基地局装置１に与える場合、取得部１５は、パスロス値、またはこの移動端末からの推定距離を位置情報として取得することができる。
また、取得部１５は、移動端末からの受信信号のレベルを当該移動端末の位置情報として取得してもよい。
【００４６】
選択部１６は、取得部１５が取得する移動端末の位置情報に基づいて、基地局装置１が送信又は受信に使用する使用周波数帯域を複数に分割した複数の帯域の内のいずれかを前記移動端末との間で通信するための周波数帯域として選択する機能を備えている。
選択部１６は、前記移動端末との間で通信するための周波数帯域を選択した選択結果を信号処理部１０に与える。
選択結果が与えられた信号処理部１０は、この選択結果に基づいて前記移動端末に向けた送信データの周波数帯域の割り当てを行う。
【００４７】
調整部１７は、取得部１５が取得した移動端末の位置情報に基づいて、信号処理部１０による送信データ及び受信データの位相調整を制御することで、複数のアンテナ素子５の指向性を調整し、複数のアンテナ素子５により形成されるビームのチルト角の制御を行うことができる。
調整部１７は、前記移動端末の位置情報に基づいて、前記移動端末の方向に向くチルト角を特定し、特定したチルト角を実現するための各送受信データに対する位相の設定情報を信号処理部１０に与える。
信号処理部１０は、与えられた位相の設定情報に基づいて前記移動端末に向けた各送信データの位相を調整する。
【００４８】
電力制御部１８は、前記移動端末の位置情報又は選択部１６の選択結果に基づいて、信号処理部１０を制御することで送信データそれぞれに対する電力の調整を行い、各アンテナ素子５から送信される信号の通信電力を制御する機能を有している。
【００４９】
以上のように、ベースバンドユニット２が有している信号処理部１０、取得部１５、選択部１６、調整部１７、及び電力調整部１８は、アンテナ３による無線信号の送受信を制御する機能を有しており、アンテナ３とともに、移動端末と通信する基地局装置１に用いられるアンテナシステムを構成している。
【００５０】
〔セルの構成について〕
図４（ａ）は、アンテナ３によって形成されるセルの構成を示す図である。なお、図４（ａ）では、アンテナ３からの下り信号によって形成されるセルを示している。なお、以下、図４から図７の説明では、アンテナ３からの下り信号によって形成されるセルについて説明する。
【００５１】
図に示すように、アンテナ３（を備えた基地局装置１）は、移動端末２０と通信するためのセルＣ１（第１セルＣ１）を形成する。
セルＣ１は、セルエッジ領域Ｃ１１、第１内側領域Ｃ１２、及び第２内側領域Ｃ１３の３つの領域を含んでいる。
セルエッジ領域Ｃ１１は、セルＣ１に隣接する隣接セルに隣接する範囲に設定されている領域であり、セルＣ１に隣接する隣接セルとの間で干渉が生じるおそれがある範囲に対して設定されている。
第１内側領域Ｃ１２は、セルエッジ領域Ｃ１１よりも内側に設定されている領域であり、セルエッジ領域Ｃ１１の内側縁に沿って設定されている。
第２内側領域Ｃ１３は、第１内側領域Ｃ１２よりも内側に設定されている領域であり、各領域の内で最もアンテナ３に近い範囲に設定されている領域である。
第１内側領域Ｃ１２及び第２内側領域Ｃ１３は、共にセルエッジ領域Ｃ１１よりもセルＣ１の内側に形成されており、セル内側領域を構成している。
【００５２】
各領域Ｃ１１、Ｃ１２、Ｃ１３は、選択部１６が行う移動端末２０の位置情報に応じた送信データの周波数帯域の割り当てによって区画されている。
【００５３】
セルＣ１内の各移動端末２０は、各領域Ｃ１１、Ｃ１２、Ｃ１３のいずれの領域に位置するかに応じて選択された周波数帯域が異なっている。
つまり、各領域Ｃ１１、Ｃ１２、Ｃ１３それぞれにおいて使用される周波数帯域が、互いに異なっている。
選択部１６は、移動端末２０の位置が各領域Ｃ１１、Ｃ１２、Ｃ１３のいずれの領域に位置するかに応じて移動端末２０の送信データを割り当てる周波数帯域を選択する。
【００５４】
図４（ｂ）は、基地局装置１が無線送信する下り信号の周波数成分を模式的に示した図である。
図に示すように、基地局装置１が無線送信する下り信号の使用周波数帯域には、当該使用周波数帯域を３つに分割することで第１帯域、第２帯域、及び第３帯域が設定されている。
【００５５】
図４（ａ）中、セルエッジ領域Ｃ１１には、第３帯域が設定されている。第１内側領域Ｃ１２には、第２帯域が設定されている。また、第２内側領域Ｃ１３には、第１帯域が設定されている。
よって、セルエッジ領域Ｃ１１に位置している移動端末２０に対しては、使用周波数帯域の内、第３帯域が選択され、第１内側領域Ｃ１２に位置している移動端末２０に対しては、使用周波数帯域の内、第２帯域が選択され、第２内側領域Ｃ１３に位置している移動端末２０に対しては、使用周波数帯域の内、第１帯域が選択される。
【００５６】
各領域Ｃ１１、Ｃ１２、Ｃ１３それぞれにおいて使用される周波数帯域の設定は、以下のように行われる。
【００５７】
図５は、基地局装置１の下り信号において移動端末２０のユーザデータを割り当てるための周波数帯域を選択する際の処理を示したシーケンス図である。
まず、移動端末２０が下り信号受信のパスロス値等の当該移動端末２０のセル内における位置を示す位置情報を送信し（ステップＳ１）、これを基地局装置１が受信すると、ベースバンドユニット２の取得部１５（図３）は、この位置情報を取得する（ステップＳ２）。
【００５８】
次いで、ベースバンドユニット２の選択部１６は、この位置情報に基づいて、移動端末２０のセルＣ１内における位置がセルエッジ領域Ｃ１１、第１内側領域Ｃ１２、及び第２内側領域Ｃ１３のいずれに属しているのか判定する（ステップＳ３）。
各領域Ｃ１１、Ｃ１２、Ｃ１３の範囲は予め設定されており、選択部１６は、予め設定された各領域Ｃ１１、Ｃ１２、Ｃ１３の範囲と、位置情報とを比較し判定する。
【００５９】
選択部１６は、移動端末２０がいずれの領域に属しているのかを判定すると、その判定結果に応じて、使用周波数帯域に含まれる第１帯域、第２帯域、及び第３帯域のいずれか一の帯域を、移動端末２０に向けた送信データを送信するための帯域として選択する（ステップＳ４）。
選択部１６による帯域の選択は、各判定結果（移動端末２０の位置）に対応して予め設定されている。
例えば、図４では、判定結果がセルエッジ領域Ｃ１１である場合、選択部１６は、対象の移動端末２０に対して第３帯域を選択する。また、判定結果が第１内側領域Ｃ１２である場合、選択部１６は、対象の移動端末２０に対して第２帯域を選択する。また、判定結果が第２内側領域Ｃ１３である場合、選択部１６は、対象の移動端末２０に対して第１帯域を選択する。
選択部１６は、選択した選択結果を信号処理部１０に与える。
【００６０】
図５中、ステップＳ４において選択部１６が移動端末２０の送信データを割り当てるための帯域を選択すると、次いで、ベースバンドユニット２の調整部１７は、取得部１５が取得する移動端末２０の位置情報に基づいて、複数のアンテナ素子５のチルト角を調整する（ステップＳ５）。
調整部１７は、移動端末２０の位置情報から、当該移動端末２０の方向に向くチルト角を特定し、当該移動端末２０に向けた送信データが複数のアンテナ素子５から送信されたときのチルト角が特定したチルト角となるように、信号処理部１０に送信データの位相調整を行わせる。
このように、調整部１７は、移動端末２０に向けて送信される送信データが形成するビームが、当該移動端末２０が位置する方向に向くようにチルト角を制御する。
【００６１】
このとき、複数の移動端末２０に対して送信データを送信する場合、調整部１７は、各移動端末２０それぞれに向けて送信される送信データごとに異なるチルト角となるように制御することができる。上述したように、信号処理部１０は、各送信データごとに位相調整することができるからである。
【００６２】
図５中、ステップＳ５においてチルト角を調整した後、電力制御部１８は、移動端末２０の位置情報の基づいて、送信データの電力を調整する（ステップＳ６）。
その後、ベースバンドユニット２は、各部によって位相や電力が調整された送信データを送信ベースバンド信号に変換し、アンテナ３に与えることで、移動端末２０に向けた送信データを当該移動端末２０に向けて送信する（ステップＳ７）。
このようにして送信される移動端末２０に向けた送信データは、当該移動端末２０が位置する領域に応じて異なる周波数帯域に割り当てられる。
また、この送信データは、当該移動端末２０の位置にビームが向くようにチルト角が制御される。
【００６３】
図５に示す処理をセルＣ１内に位置する各移動端末２０に対して実行する結果、図４（ａ）に示すように、各領域Ｃ１１、Ｃ１２、Ｃ１３それぞれにおいて使用される周波数帯域が、互いに異なるように設定される。
【００６４】
また、図４（ａ）に示すように、セルエッジ領域Ｃ１１において使用される周波数帯域は、セルＣ１に隣接する隣接セルＣａのセルエッジ領域Ｃａ１において使用される周波数帯域と異なるように設定されている。
図４（ａ）では、セルエッジ領域Ｃ１１で使用される周波数帯域として第３帯域が選択され、隣接セルＣａのセルエッジ領域Ｃａ１において使用される周波数帯域として第２帯域が選択されている。
【００６５】
ベースバンドユニット２の選択部１６は、上述のように、各判定結果（移動端末２０の位置）に対応して選択する帯域が予め設定されている。さらに、選択部１６は、セルエッジ領域Ｃ１１に対応して選択する帯域については、セルＣ１の周囲に隣接する隣接セルのセルエッジ領域において選択される帯域と異なるように設定される。
これによって、図４（ａ）に示すように、セルエッジ領域Ｃ１１において使用される周波数帯域と、セルＣ１に隣接する隣接セルＣａのセルエッジ領域Ｃａ１において使用される周波数帯域とが異なるように設定される。
【００６６】
図６（ａ）は、互いに隣接するセルの構成を示す図であり、図６（ｂ）は、各セルに含まれる領域それぞれに対して使用される周波数帯域として選択されている帯域及び下り信号の送信電力を示す図である。図において、互いに隣接している第１セルＣ１、第２セルＣ２、及び第３セルＣ３は、３つのアンテナ３によって形成されるセクタセルである。つまり、各セルＣ１、Ｃ２、Ｃ３に囲まれている中心部分に、アンテナ３を３つ備えている一の基地局装置１が設置されており、この基地局装置１が各アンテナ３によって各セルＣ１、Ｃ２、Ｃ３を形成している。
【００６７】
図に示すように、第１セルＣ１のセルエッジ領域Ｃ１１、第２セルＣ２のセルエッジ領域Ｃ２１、及び第３セルＣ３のセルエッジ領域Ｃ３１は、互いに異なる帯域が設定されている。
また、第１セルＣ１の第１内側領域Ｃ１２、第２セルＣ２の第１内側領域Ｃ２２、及び第３セルＣ３の第１内側領域Ｃ３２についても、互いに異なる帯域が設定されている。
さらに、第１セルＣ１の第２内側領域Ｃ１３、第２セルＣ２の第２内側領域Ｃ２３、及び第３セルＣ３の第２内側領域Ｃ３３についても、互いに異なる帯域が設定されている。
【００６８】
このように、本実施形態では、各セルＣ１、Ｃ２、Ｃ３において、基地局装置１の使用周波数帯域の内の全帯域を使用しつつ、各セルエッジ領域では、互いに異なる周波数帯域となるように設定されている。この結果、隣接セルとの間でのセル間干渉を抑制することができる。
【００６９】
また、図６（ｂ）に示すように、各セルＣ１、Ｃ２、Ｃ３に含まれる各領域に位置する移動端末２０に対して送信する下り信号の送信電力は、セルエッジ領域、第１内側領域、及び第２内側領域のそれぞれでほぼ同じとなっている。
【００７０】
各セルの下り信号の送信電力は、上述のように、ベースバンドユニット２の電力制御部１８によって制御されている。
電力制御部１８は、選択帯域情報がセルエッジ領域である場合に選択される周波数帯域である場合と、セルエッジ領域である場合に選択される周波数帯域以外の周波数帯域である場合とで、移動端末２０に対する送信信号の送信電力がほぼ同じ値となるように制御する。
この結果、セルエッジ領域、第１内側領域、及び第２内側領域における下り信号の送信電力がほぼ同じ値となるように制御する。
【００７１】
よって、電力制御部１８は、選択帯域情報がセルエッジ領域である場合に選択される周波数帯域と、セルエッジ領域である場合に選択される周波数帯域以外の周波数帯域との間で切り替わる際に、移動端末２０に対する送信信号の送信電力を維持するように制御する。
これにより、本実施形態では、第１及び第２内側領域における移動端末２０との間の送信電力を、セルエッジ領域における送信電力と同等にすることができ、第１及び第２内側領域のスループットの低下を抑制することができる。
【００７２】
〔効果について〕
以上のように、移動端末２０と通信するためのセルＣ１を形成する基地局装置１に用いられる本実施形態に係るアンテナシステムは、移動端末２０のセルＣ１内における位置情報を取得する取得部１５と、互いに異なる複数の周波数帯域である第１から第３帯域の中から、移動端末２０との間の通信に用いる周波数帯域を選択する選択部１６と、前記位置情報に基づいて、移動端末２０に対するアンテナ３（複数のアンテナ素子５）の指向性を調整する調整部１７と、を備えている。選択部１６は、前記位置情報に基づいて、移動端末２０のセルＣ１内における位置が当該セルＣ１に隣接する隣接セルとの間で干渉が生じるおそれがあるセルエッジ領域Ｃ１１と判定する場合、前記隣接セルのセルエッジ領域において選択される周波数帯域と異なる周波数帯域（第３帯域）を選択し、前記位置がセルエッジ領域Ｃ１１よりも内側のセル内側領域Ｃ１２、Ｃ１３と判定する場合、前記位置情報がセルエッジ領域Ｃ１１である場合において選択される周波数帯域以外の周波数帯域（第１帯域、第２帯域）を選択する。
【００７３】
上記構成のアンテナ３によれば、移動端末２０がセルエッジ領域Ｃ１１に位置する場合には、隣接セルにおいて選択される周波数帯域と異なる周波数帯域（第３帯域）が選択されるので、複数のアンテナ素子５の指向性（チルト角）をセルエッジ領域Ｃ１１に向くように調整したとしても、隣接セルとの間でのセル間干渉を抑制することができる。
【００７４】
また、移動端末２０が第１及び第２内側領域Ｃ１２、Ｃ１３に位置する場合には、移動端末２０がセルエッジ領域Ｃ１１に位置する場合に選択される周波数帯域と異なる周波数帯域（第１帯域、第２帯域）が選択されるので、移動端末２０がセルエッジ領域Ｃ１１に位置する場合に選択される周波数帯域と異なる周波数帯域（第１帯域、第２帯域）を選択帯域情報が示している場合、複数のアンテナ素子５の指向性（チルト角）を第１及び第２内側領域Ｃ１２、Ｃ１３に向くように調整することができる。これにより、通信電力を上げたとしても、第１及び第２内側領域Ｃ１２、Ｃ１３が拡張するのが抑制され、セルエッジ領域Ｃ１１及び第１及び第２内側領域Ｃ１２、Ｃ１３を維持するために通信電力を抑制する必要がなく、上記従来例で示したＦＦＲと比較してより通信電力を高めることができる。また、アンテナ素子５のチルト角を調整することによってセルエッジ領域Ｃ１１と第１及び第２内側領域Ｃ１２、Ｃ１３とを区切ることにより、隣接セルとの間にセルエッジ領域Ｃ１１を確実に介在させることができ、第１及び第２内側領域Ｃ１２、Ｃ１３での通信電力を高めたとしても、隣接セルに与える干渉を抑制できる。
この結果、第１及び第２内側領域Ｃ１２、Ｃ１３のスループットの低下を抑制しつつ、セル間干渉を抑制することができる。
【００７５】
また、本実施形態では、ベースバンドユニット２の選択部１６が、移動端末２０のセルＣ１内における位置がセル内側領域と判定する場合、移動端末２０のセルＣ１内における位置がセルエッジ領域Ｃ１１と判定する場合に選択される周波数帯域以外の周波数帯域を複数選択（第１帯域、第２帯域）する。
この場合、セル内側領域を周波数帯域（第１帯域、第２帯域）ごとに第１及び第２内側領域Ｃ１２、ｃ１３を形成することでさらに区切ることができ、セル内側領域をより小さい領域に区切ることができる。これにより、より小さい領域ごとに異なる周波数帯域を使用することができ、基地局装置１が使用可能な無線資源をより有効に利用することができる。
【００７６】
なお、上記図４から図６の説明では、アンテナ３からの下り信号によって形成されるセルＣ１について説明したが、移動端末２０から送信される上り信号を受信する場合に形成されるセルについても、下り信号で形成されるセルＣ１と同様、セルエッジ領域と、それ以外のセル内側領域とを形成して複数の領域を含むように構成され、制御される。
これによって、上り信号で形成されるセルについても、下り信号で形成されるセルＣ１と同様の効果を得ることができる。
【００７７】
〔その他〕
上記実施形態では、セルＣ１が、セルエッジ領域Ｃ１１、第１内側領域Ｃ１２、及び第２内側領域Ｃ１３の３つの領域を含んでおり、セル内側領域を第１内側領域Ｃ１２、及び第２内側領域Ｃ１３で構成した場合を例示したが、例えば、図７に示すように、セル内側領域は、第１内側領域Ｃ１２（Ｃ２２、Ｃ３２）のみで構成してもよいし、基地局装置１の使用周波数帯域の分割数を増やすことで、セル内側領域をより細かく区切り、より多数の内側帯域を形成してもよい。
【００７８】
また、図６、図７では、基地局装置１がセクタセルを形成する場合を例示したが、オムニセルを形成する基地局装置に対しても上記実施形態と同様の構成を適用することができる。
【００７９】
なお、今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【００８０】
１  基地局装置
２  ベースバンドユニット
３  アクティブアンテナ
３ａ  筐体
４  信号伝送路
５  アンテナ素子
８  送受信部
１０  信号処理部
１５  取得部
１６  選択部
１７  調整部
１８  電力制御部
２０  移動端末
Ｃ１  セル
Ｃ１  第１セル
Ｃ２  第２セル
Ｃ３  第３セル
Ｃ１１  セルエッジ領域
Ｃ１２  第１内側領域
Ｃ１３  第２内側領域
Ｃ２１  セルエッジ領域
Ｃ２２  第１内側領域
Ｃ２３  第２内側領域
Ｃ３１  セルエッジ領域
Ｃ３２  第１内側領域
Ｃ３３  第２内側領域
Ｃａ  隣接セル
Ｃａ１  セルエッジ領域
【図１】
2016116045.tif 000003
【図２】
2016116045.tif 000004
【図３】
2016116045.tif 000005
【図４】
2016116045.tif 000006
【図５】
2016116045.tif 000007
【図６】
2016116045.tif 000008
【図７】
2016116045.tif 000009